(57)【特許請求の範囲】
【請求項１】
底部と、該底部から略垂直に立設された垂直部分と該垂直部分の上端から上部フランジに向かって外側に傾斜した傾斜部分とを有する４つの側壁とにより形成された半ケースを構成する前記４つの側壁のうちの１つの側壁の一方の隅部寄りには、水平軸を有するヒンジ部の雄部が配設されており、また、もう一方の隅部寄りには、溝を有する前記ヒンジ部の雌部が配設されているとともに、前記ヒンジ部が配設された側壁と対向する側壁の上部フランジの内側には、上端部に凹部が形成された対向する側部と縦孔とを有する膨出部が形成されており、一方の半ケースに形成された前記水平軸を、もう一方の半ケースに形成された前記溝に嵌合することにより、２個の前記半ケースを、前記ヒンジ部を介して連結し、更に、前記一方の半ケースを構成する膨出部の縦孔に、両側端部の略中央部に短軸が突設された主部と該主部から延設された板バネ部とフックとを有するロック部材を挿入するとともに、前記一方の半ケースを構成する膨出部の対向する側部の上端部に形成された凹部に、前記ロック部材の短軸を嵌合することにより、前記一方の半ケースに前記ロック部材を装着し、前記ヒンジ部を介して連結された前記一方の半ケースと前記もう一方の半ケースが並設された状態から、前記一方の半ケースに、前記もう一方の半ケースを被せた際には、前記一方の半ケースに装着されたロック部材のフックが、前記もう一方の半ケースを構成する膨出部の縦孔に挿入されるとともに、前記もう一方の半ケースを構成する膨出部の水平部に係合するように構成されていることを特徴とする同一構造の２個の半ケースと１個の前記ロック部材とからなる缶状物品収納ケース。
【発明の詳細な説明】
【０００１】
【産業上の利用分野】
本発明は、ビール缶、ジュース缶等の種々の缶状物品を収納するための缶状物品収納ケース（以下、単に、「ケース」ともいう。）に関するものである。
【０００２】
【従来の技術】
従来、缶状物品を収納するケースとしては、紙製のカートンケースが知られており、例えば、缶状物品が収納されたカートンケースからの缶状物品の取り出しは、カートンケースの取り出し口等を破くことにより行われている。
【０００３】
【発明が解決しようとする課題】
上述したように従来の缶状物品が収納されたケースは、紙等で製造された再使用不可能な、所謂、ワンウエイケースであるために、資源保護或いは廃棄物処理等の多くの問題がある。
【０００４】
また、缶状物品をケースに収納する場合には、展開された平板状厚紙等の折り曲げ途中において、４本５列、４本６列、６本５列等に缶状物品を平板状厚紙等の上に配列し、その後、更に平板状厚紙等を折り曲げ箱形に形成するとともに、平板状厚紙等の端部を接着して缶状物品の収納されたケースを生産しているため、缶状物品のケースへの収納までには多数の作業工程が必要となり、コスト或いは生産性等の点で問題がある。
【０００５】
本発明の目的は、上述した従来の缶状物品収納ケースが有する課題を解決するとともに、多数の空のケースをコンパクトに保管することが可能な缶状物品収納ケースを提供することにある。
【０００６】
【課題を解決するための手段】
本発明は、上述した目的を達成するために、底部と、該底部から略垂直に立設された垂直部分と該垂直部分の上端から上部フランジに向かって外側に傾斜した傾斜部分とを有する４つの側壁とにより形成された半ケースを構成する前記４つの側壁のうちの１つの側壁の一方の隅部寄りには、水平軸を有するヒンジ部の雄部が配設されており、また、もう一方の隅部寄りには、溝を有する前記ヒンジ部の雌部が配設されているとともに、前記ヒンジ部が配設された側壁と対向する側壁の上部フランジの内側には、上端部に凹部が形成された対向する側部と縦孔とを有する膨出部が形成されており、一方の半ケースに形成された前記水平軸を、もう一方の半ケースに形成された前記溝に嵌合することにより、２個の前記半ケースを、前記ヒンジ部を介して連結し、更に、前記一方の半ケースを構成する膨出部の縦孔に、両側端部の略中央部に短軸が突設された主部と該主部から延設された板バネ部とフックとを有するロック部材を挿入するとともに、前記一方の半ケースを構成する膨出部の対向する側部の上端部に形成された凹部に、前記ロック部材の短軸を嵌合することにより、前記一方の半ケースに前記ロック部材を装着し、前記ヒンジ部を介して連結された前記一方の半ケースと前記もう一方の半ケースが並設された状態から、前記一方の半ケースに、前記もう一方の半ケースを被せた際には、前記一方の半ケースに装着されたロック部材のフックが、前記もう一方の半ケースを構成する膨出部の縦孔に挿入されるとともに、前記もう一方の半ケースを構成する膨出部の水平部に係合するように構成したものである。
【０００７】
以下に、本発明の缶状物品収納ケースの斜視図である図１、本発明の缶状物品収納ケースの下部半ケースの斜視図である図２、本発明の缶状物品収納ケースの正面図である図３、本発明の缶状物品収納ケースの下部半ケースの隅部垂直断面図である図４、本発明の缶状物品収納ケースのヒンジ部の分解斜視図である図５、本発明の缶状物品収納ケースのロック部の分解斜視図である図６、本発明の缶状物品収納ケースのロック部の側部断面図である図７、ネスティング状態にある本発明の缶状物品収納ケースの正面図である図８、本発明の缶状物品収納ケースの一部平面図である図９〜図１１及び下部半ケースと上部半ケースとの両方に缶状物品が収納された状態を示す本発明の缶状物品収納ケースの正面図である図１２を用いて、本発明の実施例について説明するが、本発明の趣旨を越えない限り何ら、本実施例に限定されるものではない。
【０００８】
本発明の缶状物品収納ケースＣは、同一構造を有する下部半ケースＣｂ及び上部半ケースＣｕから形成されており、下部半ケースＣｂ及び上部半ケースＣｕは、それぞれ、収納される缶状物品Ｖの高さの略半分の深さを有するように形成されている。下部半ケースＣｂと上部半ケースＣｕは、後述するヒンジ部ｈにより連結されており、また、下部半ケースＣｂが上部半ケースＣｕにより閉じられた状態においては、下部半ケースＣｂと上部半ケースＣｕとは、後述するロック部ｇによりロックされるように構成されている。
【０００９】
次に、下部半ケースＣｂ及び上部半ケースＣｕについて説明するが、上述したように、下部半ケースＣｂと上部半ケースＣｕとは同一構造を有しているので、下部半ケースＣｂの斜視図である図２を用いて下部半ケースＣｂの構成について説明する。
【００１０】
１は、孔或いは窓等が穿設されていない無垢の板状の底部であり、底部１の四隅には、収納される缶状物品Ｖの直径に応じたアールが形成されている。底部１の周囲からは底部１を囲むように略垂直な側壁２、３、４、５が立設されている。側壁２、３、４、５には、軽量化のため及び外から内容物が判別できるように、適当数の透孔２ａ、３ａ、４ａ、５ａが穿設されている。６は、側壁２、３、４、５の上端部から外側に向けて水平に延設された上部フランジであり、また、７は、側壁２、３、４、５の外壁の略中間部から水平方向に延設された中間フランジである。
【００１１】
一例として側壁２の拡大断面図である図４に示されているように、側壁２は、底部１から略垂直に立設された垂直部分２ｂを有し、垂直部分２ｂの上端部から上部フランジ６に向けては、下部半ケースＣｂの外側に向けて所定角度傾斜する傾斜部分２ｃが形成されている。このような垂直部分２ｂ及び傾斜部分２ｃは、その他の側壁３、４、５にも同様に形成されている。
【００１２】
８ａ、８ｂは、１つの側壁４の一方の隅部寄りに設けられたヒンジ部ｈの雄部を構成する水平軸であり、上部フランジ６から外側に所定の間隔を置いて突設された突起片９ａ、９ｂ、９ｃの先端部に配設されている。１０ａ、１０ｂは、側壁４のもう一方の隅部寄りに設けられた、水平軸８ａ、８ｂが嵌合する溝１１ａ、１１ｂを有する上部フランジ６から外側に所定の間隔を置いて突設されたヒンジ部ｈを構成する雌部である。図５に示されているように、上部半ケースＣｕの側壁４に設けられた水平軸８ａ、８ｂを、下部半ケースＣｂの側壁４に設けられた雌部１０ａ、１０ｂの溝１１ａ、１１ｂに嵌合するとともに、上部半ケースＣｕの側壁４に設けられた雌部１０ａ、１０ｂの溝１１ａ、１１ｂに、下部半ケースＣｂの側壁４に設けられた水平軸８ａ、８ｂを嵌合することにより、下部半ケースＣｂと上部半ケースＣｕとが、ヒンジ部ｈを介して、図１に示されているように連結されることになる。なお、上述した実施例においては、水平軸８ａ、８ｂ及び雌部１０ａ、１０ｂが、それぞれ、２つずつ配設されているが、水平軸８ａ、８ｂ及び雌部１０ａ、１０ｂを、それぞれ、１個配設することも、また、３個以上配設することもできる。
【００１３】
図５において、１２ａ、１２ａ’は、雌部１０ａに設けられた溝１１ａの開口部に、溝１１ａの開口幅を狭めるように対向して突設された突起部であり、突起部１２ａ、１２ａ’は、図５に示されている実施例においては、溝１１ａの長さ方向に所定の間隔をおいて２組設けられている。同様に、１２ｂ、１２ｂ’は、雌部１０ｂに設けられた溝１１ｂの開口部に、溝１１ｂの開口幅を狭めるように対向して突設された突起部であり、突起部１２ｂ、１２ｂ’も、溝１１ｂの長さ方向に所定の間隔をおいて２組設けられている。このような突起部１２ａ、１２ａ’、１２ｂ、１２ｂ’を設けることにより、溝１１ａ、１１ｂに嵌合された水平軸８ａ、８ｂが簡単に溝１１ａ、１１ｂから抜け出ることを防止することができる。また、１３は、上部フランジ６の背面と側壁４により形成される角部に配設された、突起片９ａ、９ｂ、９ｃ及び雌部１０ａ、１０ｂを支持する適当数の補強リブである。
【００１４】
図１及び図２において、１４ａ、１４ｂは、側壁４の上部フランジ６の中央部寄りに突設された突起片９ｃと同じく中央部寄りの雌部１０ａとの間に所定の間隔を置いて設けられた上部フランジ６の幅広部であり、１５ａは、幅広部１４ａと中央部寄りの突起片９ｃとの間に設けられた上部フランジ６の凹部であり、同じく、１５ｂは、幅広部１４ａと幅広部１４ｂとの間に設けられた上部フランジ６の凹部である。上述したように、上部半ケースＣｕと下部半ケースＣｂとをヒンジ部ｈを介して、図１に示されているように連結した際に、下部半ケースＣｂの上部フランジ６の幅広部１４ａ、１４ｂの先端部が、上部半ケースＣｕの凹部１５ａ、１５ｂに、また、上部半ケースＣｕの上部フランジ６の幅広部１４ａ、１４ｂの先端部が、下部半ケースＣｂの凹部１５ａ、１５ｂに挿入されて、上部半ケースＣｕ及び下部半ケースＣｂの横方向へのずれを防止することができるように構成されている。
【００１５】
次に図２、図６及び図７を用いて、ロック部ｇについて説明する。
【００１６】
水平軸８ａ、８ｂ及び雌部１０ａ、１０ｂが設けられた側壁４と対向する側壁５の上部フランジ６の略中央部には、下部半ケースＣｂの内側に向けて縦孔１６ａを有する膨出部１６が設けられており、膨出部１６の対向する側部１６ｂ、１６ｃの上端部の中央部には、側面形状が略円形の凹部１７ａ、１７ｂが設けられている。１６ｄは、膨出部１６の側壁５に沿った枠部である。
【００１７】
１８は、下部半ケースＣｂに設けられた膨出部１６の縦孔１６ａに装着されるロック部ｇを構成するロック部材であり、ロック部材１８は、両側端部の略中央部に水平な短軸１８ａ、１８ｂが突設された板状の主部１８ｃ及び主部１８ｃから傾斜状に延設された板バネ部１８ｄとにより形成されており、また、ロック部材１８の先端部にはフック１８ｅが設けられている。なお、ロック部材１８は、合成樹脂等により一体に成形される。ロック部材１８を、膨出部１６の縦孔１６ａに挿入し、ロック部材１８の短軸１８ａ、１８ｂを、膨出部１６の凹部１７ａ、１７ｂの嵌合するとともに、ロック部材１８の板バネ部１８ｄの自由端部１８ｄ’を、膨出部１６の枠部１６ｄに当接させる。このようにロック部材１８の板バネ部１８ｄの自由端部１８ｄ’を膨出部１６の枠部１６ｄに当接させることにより、ロック部材１８を、短軸１８ａ、１８ｂを中心に、図７において、反時計方向に付勢するように構成されている。
【００１８】
上述したように、下部半ケースＣｂと上部半ケースＣｕとを、ヒンジ部ｈを介して連結するとともに、下部半ケースＣｂの膨出部１６の縦孔１６ａにロック部材１８を装着して缶状物品収納ケースＣを組み立てる。図３の実線で示されている下部半ケースＣｂと上部半ケースＣｕとが並設されて缶状物品収納ケースＣが開いた状態において、下部半ケースＣｂに缶状物品Ｖを収納し、次いで、上部半ケースＣｕをヒンジ部ｈを中心に回動させて、図３の二点鎖線で示されているよういに、下部半ケースＣｂ上に上部半ケースＣｕを被せる。下部半ケースＣｂの膨出部１６の縦孔１６ａに装着されたロック部材１８のフック１８ｅが、図７に示されているように、上部半ケースＣｕの膨出部１６の縦孔１６ａに挿入されるとともに、フック１８ｅが、上部半ケースＣｕの膨出部１６の枠部１６ｄの水平部１６ｄ’に係合して下部半ケースＣｂと上部半ケースＣｕとがロックされる。そして、ロック部材１８を、板バネ部１８ｄに抗して、図７において二点鎖線で示されているように時計方向に回動させて、ロック部材１８のフック１８ｅと上部半ケースＣｕの膨出部１６の枠部１６ｄの水平部１６ｄ’との係合を外すことにより、ロック部ｈのロック状態を解放することができるように構成されている。
【００１９】
上述したように本発明の缶状物品収納ケースＣの側壁２、３、４、５は、底部１から略垂直に立設された垂直部分と垂直部分の上端部から上部フランジ６に向けて所定角度傾斜した傾斜部分から形成されているので、図８に示されているように、空の下部半ケースＣｂと上部半ケースＣｕが並設された状態の缶状物品収納ケースＣを積み重ねると、下に位置する缶状物品収納ケースＣの中に、上に位置する缶状物品収納ケースＣが、略半分ほど挿入された、所謂、ネスティング状態に缶状物品収納ケースＣを積み重ねることができる。従って、空の缶状物品収納ケースＣを、コンパクトに保管することができ、空の缶状物品収納ケースＣの収容スペースが少なくて済む。
【００２０】
また、図３及び図４に示されているように、下部半ケースＣｂと上部半ケースＣｕとに缶状物品Ｖが収納された場合には、下部半ケースＣｂの側壁２の垂直部分２ｂと上部半ケースＣｕの側壁２の垂直部分２ｂにより、缶状物品Ｖの上下端部の周面が支持され、缶状物品Ｖを缶状物品収納ケースＣ内に垂直状態で安定的に収納することができる。そして、下部半ケースＣｂの側壁２の傾斜部分２ｃと側壁２に隣接するように収納された缶状物品Ｖとの間には間隙ｓが設けられているので、透孔２ａから指を入れて、図２に示されている透孔２ａ間のリブ２ｄを掴むことにより、缶状物品収納ケースＣを運搬することができる。勿論、図示されていないが、公知の把手を、適当な側壁２、３、４、５に配設することもできる。なお、本実施例においては、側壁４、５に沿って６本の缶状物品Ｖが配列され、また、側壁２、３に沿って４本の缶状物品Ｖが配列され、合計２４本の缶状物品Ｖが収納される缶状物品収納ケースＣが示されているが、このような収納本数に限定されるものではない。
【００２１】
図９〜図１１において、１９は、下部半ケースＣｂの底部１の外表面に突設された円錐台状の突起である。図９には、底部１の外表面の略全面に突起１９が突設された実施例が示されており、また、図１０には、缶状物品収納ケースＣに収納される缶状物品Ｖの円形面２０を除いて突起１９が突設された実施例が示されており、更に、図１１には、缶状物品Ｖの円形面２０のドーナツ状の輪郭部分２１を除いて突起１９が突設された実施例が示されている。このような突起１９は、上部半ケースＣｕの底部１の外表面にも突設されている。上記の突起１９は、仮想正方形の４つ角部に突設されており、４つ角部に突設された突起１９に囲まれた部分は、１つの突起１９が入り込むことができるような広さを有している。このような仮想正方形の４つ角部に突設された突起１９が、多数底部１の外表面に突設されている。勿論、上記のような配列に限定されることなく、後述する機能を有するものであれば、種々の配列に突起１９を突設することができる。
【００２２】
缶状物品Ｖが収納され、下部半ケースＣｂ上に上部半ケースＣｕが載置されて下部半ケースＣｂと上部半ケースＣｕとがロックされた缶状物品収納ケースＣを多段に積み重ねた際に、下に位置する缶状物品収納ケースＣの上部半ケースＣｕの突起１９が、上に位置する缶状物品収納ケースＣの下部半ケースＣｕの突起１９間に配置されるので、上に位置する缶状物品収納ケースＣが、下に位置する缶状物品収納ケースＣに対して横方向に移動することが阻止され、缶状物品収納ケースＣを多段に安定した状態で積み重ねることができる。
【００２３】
下部半ケースＣｂと上部半ケースＣｕとが並設された缶状物品収納ケースＣが開けられた状態で、図１２に示されているように、下部半ケースＣｂと上部半ケースＣｕとの両方に缶状物品Ｖを収納するとともに、多段に積み重ねて店頭等で展示・販売することができる。このような場合に、図１０及び図１１に示されているように、缶状物品Ｖの円形面２０及び缶状物品Ｖの円形面２０のドーナツ状の輪郭部分２１には突起１９を突設しないことにより、下に位置する下部半ケースＣｂと上部半ケースＣｕに収納された缶状物品Ｖの上面が、上に位置する下部半ケースＣｂと上部半ケースＣｕの底部１の外表面の突起１９が設けられていない円形面２０或いは缶状物品Ｖの円形面２０のドーナツ状の輪郭部分２１に嵌合されて、缶状物品Ｖが収納され段積みされた下部半ケースＣｂと上部半ケースＣｕが、横方向に移動すること無く、安定した状態で積み重ねられる。
【００２４】
なお、下部半ケースＣｂと上部半ケースＣｕは、合成樹脂で一体に形成することが好ましく、また、ヒンジ部ｈ及びロック部ｇは、上述した実施例に限らず、種々のヒンジ部ｈ及びロック部ｇを適用することができる。
【００２５】
【発明の効果】
本発明は、以上説明したように構成されているので、以下に記載される効果を奏するものである。
【００２６】
収納される缶状物品の高さの略半分の深さを有する同一構造の２個の半ケースにより缶状物品収納ケースを構成したので、収納された缶状物品の上部半分が片方の半ケースから出ているので、半ケースからの缶状物品の取り出しが簡単に行える。また、どちらの半ケースに缶状物品を収納してもよいので、収納ライン上に配列する缶状物品収納ケースの向きが限定されることがなく、缶状物品収納ケースへの缶状物品の収納作業性が向上する。
【００２７】
半ケースの側壁を底部から立設された垂直部と該垂直部に連続する傾斜部とにより形成したので、半ケースの傾斜部が缶状物品の案内面として機能し、従って、半ケースの上方における缶状物品の位置決めに多少のずれがあっても、容易に半ケースに缶状物品を収納することができるとともに、ネスティング効率が向上する。
【００２８】
側壁に穿設された透孔を通して、缶状物品収納ケースに収納された缶状物品の種類が判別できるとともに、冷蔵庫或いは冷水等により缶状物品収納ケースに収納された缶状物品を冷却する際に、冷やされた空気や冷水等が側壁に穿設された透孔を通して缶状物品に直接接触するので冷却効率が向上する。また、缶状物品の飲み口等が設けられている円形面が無垢の板状の底部により覆われているので、飲み口等が設けられている円形面が汚れることが防止できる。
【図面の簡単な説明】
【図１】図１は本発明の缶状物品収納ケースの斜視図である。
【図２】図２は本発明の缶状物品収納ケースの下部半ケースの斜視図である。
【図３】図３は本発明の缶状物品収納ケースの正面図である。
【図４】図４は本発明の缶状物品収納ケースの下部半ケースの隅部垂直断面図である。
【図５】図５は本発明の缶状物品収納ケースのヒンジ部の分解斜視図である。
【図６】図６は本発明の缶状物品収納ケースのロック部の分解斜視図である。
【図７】図７は本発明の缶状物品収納ケースのロック部の側部断面図である。
【図８】図８はネスティング状態にある本発明の缶状物品収納ケースの正面図である。
【図９】図９は本発明の缶状物品収納ケースの一部平面図である。
【図１０】図１０は本発明の缶状物品収納ケースの一部平面図である。
【図１１】図１１は本発明の缶状物品収納ケースの一部平面図である。
【図１２】図１２は下部半ケースと上部半ケースとの両方に缶状物品が収納された状態を示す本発明の缶状物品収納ケースの正面図である。
【符号の説明】
Ｃ・・・・・・・・缶状物品収納ケース
Ｃｂ・・・・・・・下部半ケース
Ｃｕ・・・・・・・上部半ケース
Ｖ・・・・・・・・缶状物品
ｇ・・・・・・・・ロック部
ｈ・・・・・・・・ヒンジ部
【図１】
0003779742.tif 000002
【図２】
0003779742.tif 000003
【図３】
0003779742.tif 000004
【図４】
0003779742.tif 000005
【図５】
0003779742.tif 000006
【図６】
0003779742.tif 000007
【図７】
0003779742.tif 000008
【図８】
0003779742.tif 000009
【図９】
0003779742.tif 000010
【図１０】
0003779742.tif 000011
【図１１】
0003779742.tif 000012
【図１２】
0003779742.tif 000013